(57)【要約】【課題】編集を行うことなく、表示された画像に関連付けて鑑賞者の撮影を行って鑑賞者画像を記録する。【解決手段】カメラ１００は、被写体を撮影して得られた被写体画像を表示部２００に再生表示する際、表示部に表示された画像を鑑賞するユーザーを撮影してユーザー画像を得る撮像部３００を備えている。システム制御部５０は被写体画像が表示部に表示されている期間において、被写体画像に対する所定のユーザー操作を受け付けると撮像部で得られたユーザー画像を表示部に表示されている被写体画像に関連付けて記録媒体３０に記録する。【選択図】図３
2015088990.tif 000002
【特許請求の範囲】
【請求項１】
被写体を撮影して得られた被写体画像を表示部に再生表示する際、前記表示部に表示された画像を鑑賞するユーザーを撮影してユーザー画像を得る撮像部を備える撮像装置であって、
前記被写体画像が前記表示部に表示されている期間において前記被写体画像に対する所定のユーザー操作を受け付ける受付手段と、
前記受付手段によって前記ユーザー操作を受け付けた際に前記撮像部で得られたユーザー画像を前記表示部に表示されている被写体画像に関連付けて記録する第１の記録手段と、
を有することを特徴とする撮像装置。
【請求項２】
前記撮像部によるユーザーの撮影を開始した撮影開始時間を記録するとともにユーザーの撮影を終了した撮影終了時間を記録し、さらに前記受付手段によって前記撮影開始時間と前記撮影終了時間との間で前記ユーザー操作を受け付けた時間を操作指示時間として記憶する第２の記録手段を備え、
前記第１の記録手段は、前記第２の記録手段によって前記操作指示時間が記録されていると、前記撮影開始時間と前記撮影終了時間とによって規定された期間で前記撮像部で得られたユーザー画像を記録することを特徴とする請求項１に記載の撮像装置。
【請求項３】
前記撮像部によるユーザーの撮影を開始した撮影開始時間を記録するとともにユーザーの撮影を終了した撮影終了時間を記録し、さらに前記受付手段によって前記撮影開始時間と前記撮影終了時間との間で前記ユーザー操作を受け付けた時間を操作指示時間として記憶する第２の記録手段を備え、
前記被写体画像が前記表示部に表示される表示時間が予め定められた時間未満である場合に、前記第２の記録手段によって複数の操作指示時間が記録されていると、前記第１の記録手段は、前記撮影開始時間と前記撮影終了時間とによって規定された期間で前記撮像部で得られたユーザー画像を記録することを特徴とする請求項１に記載の撮像装置。
【請求項４】
前記被写体画像が前記表示部に表示される表示時間が予め定められた時間以上である場合に、前記第２の記録手段によって記録された操作指示時間が１つであると、前記第１の記録手段は、前記撮影開始時間と前記操作指示時間との時間間隔が所定の時間間隔未満である際には、前記撮影開始時間と前記撮影終了時間とによって規定された期間で前記撮像部で得られたユーザー画像を記録することを特徴とする請求項３に記載の撮像装置。
【請求項５】
前記被写体画像が前記表示部に表示される表示時間が予め定められた時間以上である場合に、前記第２の記録手段によって記録された操作指示時間が１つであると、前記第１の記録手段は、前記撮影開始時間と前記操作指示時間との時間間隔が所定の時間間隔以上である際には、前記操作指示時間から前記所定の時間前の時間と前記撮影終了時間とによって規定された期間で前記撮像部で得られたユーザー画像を記録することを特徴とする請求項３又は４に記載の撮像装置。
【請求項６】
前記被写体画像が前記表示部に表示される表示時間が予め定められた時間以上である場合に、前記第２の記録手段によって記録された操作指示時間が複数あると、前記第１の記録手段は、最初の操作指示時間と最後の操作指示時間とによって規定された期間で前記撮像部で得られたユーザー画像を記録することを特徴とする請求項３〜５のいずれか１項に記載の撮像装置。
【請求項７】
被写体を撮影して得られた被写体画像を表示部に再生表示する際、前記表示部に表示された画像を鑑賞するユーザーを撮影してユーザー画像を得る撮像部を備える撮像装置の制御方法であって、
前記被写体画像が前記表示部に表示されている期間において前記被写体画像に対する所定のユーザー操作を受け付ける受付ステップと、
前記受付ステップで前記ユーザー操作を受け付けた際に前記撮像部で得られたユーザー画像を前記表示部に表示されている被写体画像に関連付けてメモリに記録する記録ステップと、
を有することを特徴とする制御方法。
【請求項８】
被写体を撮影して得られた被写体画像を表示部に再生表示する際、前記表示部に表示された画像を鑑賞するユーザーを撮影してユーザー画像を得る撮像部を備える撮像装置で用いられる制御プログラムであって、
前記撮像装置が備えるコンピュータに、
前記被写体画像が前記表示部に表示されている期間において前記被写体画像に対する所定のユーザー操作を受け付ける受付ステップと、
前記受付ステップで前記ユーザー操作を受け付けた際に前記撮像部で得られたユーザー画像を前記表示部に表示されている被写体画像に関連付けてメモリに記録する記録ステップと、
を実行させることを特徴とする制御プログラム。
【発明の詳細な説明】
【技術分野】
【０００１】
本発明は，撮像装置、その制御方法、および制御プログラムに関し、特に、画像の鑑賞者を撮影して画像記録を行う際の制御方法に関する。
【背景技術】
【０００２】
一般に、デジタルカメラなどの撮像装置において、鑑賞者（又は撮影者）を撮影する撮像部および被写体を撮影する撮像部などの複数の撮像部を備える撮像装置が知られている。そして、この種の撮像装置では、鑑賞者を撮影した結果得られた画像（以下鑑賞者画像と呼ぶ）を記録するようにしている。
【０００３】
このような撮像装置では、例えば、被写体を撮影した結果得られた画像（以下被写体画像と呼ぶ）を再生して鑑賞している際、視聴者（つまり、鑑賞者）の様子を撮影して記録することが行われている。この際、再生画像に対する鑑賞者の反応に応じて、画像鑑賞時間に関連付けて鑑賞者画像を記録手法が求められている。
【０００４】
このような要望に対処するために、例えば、鑑賞者の歓声が検知される、歓声をあげている鑑賞者画像をメディアに記録するとともに、鑑賞者画像を挿入する部分を表す情報をメディアに記録する。そして、メディアに記録された画像（つまり、被写体画像）および音声信号を再生する際、視聴者が歓声をあげている部分の鑑賞者画像を挿入して再生する（特許文献１参照）。
【先行技術文献】
【特許文献】
【０００５】
【特許文献１】特開２００２−２９０９０１号公報
【発明の概要】
【発明が解決しようとする課題】
【０００６】
ところが、特許文献１に記載の手法では、鑑賞者の歓声に応じて鑑賞者画像を記録しているため、つまり、鑑賞者が歓声をあげるという特定の環境下で鑑賞者画像を記録しているため、他の環境下における鑑賞者画像を記録しようとすると不可避的に編集を行う必要がある。
【０００７】
従って、本発明の目的は、編集を行うことなく、表示された画像に関連付けて鑑賞者の撮影を行って鑑賞者画像を記録することのできる撮像装置、その制御方法、および制御プログラムを提供することにある。
【課題を解決するための手段】
【０００８】
上記の目的を達成するため、本発明による撮像装置は、被写体を撮影して得られた被写体画像を表示部に再生表示する際、前記表示部に表示された画像を鑑賞するユーザーを撮影してユーザー画像を得る撮像部を備える撮像装置であって、前記被写体画像が前記表示部に表示されている期間において前記被写体画像に対する所定のユーザー操作を受け付ける受付手段と、前記受付手段によって前記ユーザー操作を受け付けた際に前記撮像部で得られたユーザー画像を前記表示部に表示されている被写体画像に関連付けて記録する第１の記録手段と、を有することを特徴とする。
【０００９】
本発明による制御方法は、被写体を撮影して得られた被写体画像を表示部に再生表示する際、前記表示部に表示された画像を鑑賞するユーザーを撮影してユーザー画像を得る撮像部を備える撮像装置の制御方法であって、前記被写体画像が前記表示部に表示されている期間において前記被写体画像に対する所定のユーザー操作を受け付ける受付ステップと、前記受付ステップで前記ユーザー操作を受け付けた際に前記撮像部で得られたユーザー画像を前記表示部に表示されている被写体画像に関連付けてメモリに記録する記録ステップと、を有することを特徴とする。
【００１０】
本発明による制御プログラムは、被写体を撮影して得られた被写体画像を表示部に再生表示する際、前記表示部に表示された画像を鑑賞するユーザーを撮影してユーザー画像を得る撮像部を備える撮像装置で用いられる制御プログラムであって、前記撮像装置が備えるコンピュータに、前記被写体画像が前記表示部に表示されている期間において前記被写体画像に対する所定のユーザー操作を受け付ける受付ステップと、前記受付ステップで前記ユーザー操作を受け付けた際に前記撮像部で得られたユーザー画像を前記表示部に表示されている被写体画像に関連付けてメモリに記録する記録ステップと、を実行させることを特徴とする。
【発明の効果】
【００１１】
本発明によれば、被写体画像が表示部に表示されている期間において所定のユーザー操作を受け付けた際に、撮像部で得られたユーザー画像を表示部に表示されている被写体画像に関連付けて記録するようにしたので、画像の編集を行うことなく、表示された画像（被写体画像）に関連付けてユーザー画像データを記録することができる。
【図面の簡単な説明】
【００１２】
【図１】本発明の実施の形態による撮像装置の一例を背面側から示す斜視図である。
【図２】図１の示すカメラについてその構成の一例を示すブロック図である。
【図３】図２に示すカメラにおける画像再生動作を説明するためのフローチャートである。
【図４】図３で説明した画像再生において記録媒体に画像範囲情報を格納するタイミングを説明するためのタイムチャートである。
【図５Ａ】本発明の第２の実施形態によるカメラにおける画像再生動作を説明するためのフローチャートである（その１）。
【図５Ｂ】本発明の第２の実施形態によるカメラにおける画像再生動作を説明するためのフローチャートである（その２）。
【図６】図５Ａおよび図５Ｂで説明した画像再生において記録媒体に画像範囲情報を格納するタイミングを説明するためのタイムチャートであり、（ａ）は表示時間が１分未満で操作指示時間が複数ある場合の画像範囲情報の記録タイミングの一例を示す図、（ｂ）は表示時間が１分を超えて操作指示時間が１回ある場合の画像範囲情報の記録タイミングの一例を示す図、（ｃ）は表示時間が１分を超えて操作指示時間が１回ある場合の画像範囲情報の記録タイミングの他の例を示す図、（ｄ）は１分を超えて操作指示時間が複数ある場合の画像範囲情報の記録タイミングの一例を示す図である。
【発明を実施するための形態】
【００１３】
以下、本発明の実施の形態による撮像装置の一例について図面を参照して説明する。
【００１４】
図１は、本発明の実施の形態による撮像装置の一例を背面側から示す斜視図である。
【００１５】
図示の撮像装置は、例えば、静止画像および動画の撮影が可能なデジタルカメラ（以下単にカメラと呼ぶ）１００であり、その背面側にはＬＣＤなどの表示部２００が備えられている。そして、この表示部２００には画像および各種の情報が表示される。
【００１６】
さらに、カメラ１００の背面には操作部４００が配置されるとともに、鑑賞者又は撮影者（以下ユーザーと総称する）を撮影するための撮像部（以下インカメラと呼ぶ）３００が配置されている。つまり、画像再生などにおいて表示部２００に再生画像が再生表示された際、インカメラ３００によってユーザーが撮影される。操作部４００は各種のスイッチおよびボタンなどを備え、ユーザーは操作部４００を用いて各種指令を入力する。操作部４００又は２０１への操作を、システム制御部５０が監視し、システム制御部５０は、操作に対応する指示を受け付ける。
【００１７】
なお、図示の表示部２００は、例えば、タッチパネルを有し、表示部２００には操作アイコン（操作部）２０１などが表示される。ユーザーは操作アイコン２０１をタッチ操作して撮影指示などの各種指令を入力することができる。
【００１８】
図２は、図１の示すカメラ１００についてその構成の一例を示すブロック図である。
【００１９】
図示のカメラ１００は、前述のようにインカメラ（視聴者撮像部）３００を有しており、このインカメラ３００は、例えば、撮影レンズユニット（以下単に撮影レンズと呼ぶ）、ＣＣＤ又はＣＭＯＳセンサなどの撮像素子、およびＡ／Ｄ変換器を有しており、撮影レンズには、ズームレンズおよびフォーカスレンズが備えられている。
【００２０】
なお、図示の例では、被写体を撮影するための被写体撮像部（つまり、アウトカメラ）は省略されているが、アウトカメラもインカメラと同様の構成を有している。
【００２１】
インカメラで得られた画像データ（以下ユーザ画像データと呼ぶ）はシステム制御部５０に送られる。システム制御部５０は、カメラ１００全体の制御を司る。例えば、システム制御部５０はユーザー画像データをメモリ２０に記録するとともに、ユーザー画像データに応じて表示部２００に表示するための画像データ（表示画像データ）を生成して、メモリ２０に格納する。
【００２２】
なお、システム制御部５０は、アウトカメラで得られた画像データ（以下被写体画像データ）をメモリ２０に格納する。また、メモリ２０は、所定枚数の静止画像又は所定時間の動画像および音声を格納するのに十分な記憶容量を有している。
【００２３】
さらに、システム制御部５０は、メモリ２０に記録された画像データをユーザー指示に応じて記録媒体３０に記録する。記録媒体３０は、例えば、半導体メモリ又は磁気ディスクで構成される。また、システム制御部５０は操作部４００又は２１０によるユーザー指示に応じてカメラ１００を制御する。
【００２４】
図３は、図２に示すカメラ１００における画像再生動作を説明するためのフローチャートである。なお、図示のフローチャートに係る処理は、システム制御部５０の制御下で行われる。
【００２５】
いま、操作部４００又は２０１によるユーザー操作によって再生モード処理が開始されると、システム制御部５０は視聴者撮影部３００によってユーザーを撮影する。そして、システム制御部５０は視聴者撮影部３００で得られたユーザー画像データをメモリ２０に画像を格納する（ステップＳ１００１：録画開始）。
【００２６】
続いて、システム制御部５０は、視聴者撮影部３００による撮影を開始した時刻を、内蔵する時計で確認して、撮影開始時間設定（Ｓｔａｒｔ  Ｔｉｍｅ  Ｓｅｔ）としてメモリ２０に記憶する（ステップＳ１００２）。そして、システム制御部５０はメモリ２０に格納されている画像データを表示部２００に再生画像として表示する（ステップＳ１００３）。
【００２７】
次に、システム制御部５０は、再生画像を表示中に操作部２０１又は４００にユーザー指示入力を割り当てて、再生画像が切り替わるまでの間に所定のユーザー操作（例えば、ボタン押下）が行われたか否かを確認する（ステップＳ１００４）。ユーザー操作が行われると（ステップＳ１００４において、ＹＥＳ）、システム制御部５０は、内蔵する時計によってユーザー操作が行われた時刻を確認して、当該時刻を操作指示時間設定（Ｍｅｍｏｒｙ  Ｔｉｍｅ  Ｓｅｔ）としてメモリ２０に記憶する（ステップＳ１００５）。
【００２８】
続いて、システム制御部５０は再生モードに応じた再生画像の切り替り又はユーザー操作による再生画像の切り替りを監視する（ステップＳ１００６）。所定の時間以内に再生画像の切り替りがないと（ステップＳ１００６において、ＮＯ）、システム制御部５０はステップＳ１００４の処理に戻る。なお、ユーザー操作が行われないと（ステップＳ１００４において、ＮＯ）、システム制御部５０はステップＳ１００６の処理に進む。
【００２９】
再生画像の切り替りがあると（ステップＳ１００６において、ＹＥＳ）、システム制御部５０は、内蔵する時計によって再生画像の切り替わり時刻を確認して、当該時刻を撮影終了時間設定（Ｅｎｄ  Ｔｉｍｅ  Ｓｅｔ）としてメモリ２０に記憶する（ステップＳ１００７）。
【００３０】
次に、システム制御部５０はメモリ２０に操作指示時間設定（Ｍｅｍｏｒｙ  Ｔｉｍｅ  Ｓｅｔ）が記憶されているか否かを確認する（ステップＳ１００８）。Ｍｅｍｏｒｙ  Ｔｉｍｅ  Ｓｅｔが存在すると（ステップＳ１００８において、ＹＥＳ）、システム制御部５０は、メモリ２０に記録された撮影開始時間設定（Ｓｔａｒｔ  Ｔｉｍｅ  Ｓｅｔ）を保存開始位置とし、メモリ２０に記録された撮影終了時間設定（Ｅｎｄ  Ｔｉｍｅ  Ｓｅｔ）を保存終了位置とする。そして、システム制御部５０は上記の保存開始位置および保存修了位置に応じて、つまり、撮影開始時間と撮影終了時間とによって規定される期間に応じてメモリ２０に記録されたユーザー画像データにおいて記録媒体３０に格納する画像の範囲を画像範囲情報とする（ステップＳ１１１１）。
【００３１】
続いて、システム制御部５０は当該画像範囲情報を再生画像に関連付けて記録媒体３０に記録する（ステップＳ１００９：記録画像保存）。この際、システム制御部５０はメモリ２０に格納されたユーザー画像データのうち撮影終了時間設定よりも所定の時間以前に撮影されたユーザー画像データを消去して、削除せずに残ったユーザー画像データの先頭が示す時刻を撮影開始時間設定（Ｓｔａｒｔ  Ｔｉｍｅ  Ｓｅｔ）とする。
【００３２】
次に、システム制御部５０は画像切り替りに応じて次に表示すべき再生画像が存在するか否かを判定する。つまり、システム制御部５０は再生終了であるか否かを判定する（ステップＳ１０１２）。次に表示すべき再生画像が存在すると（ステップＳ１０１２において、ＮＯ）、システム制御部５０はステップＳ１００３の処理に戻る。
【００３３】
一方、次に表示すべき再生画像が存在しないと（ステップＳ１０１２において、ＹＥＳ）、システム制御部５０は録画の終了処理を行って、メモリ２０に記録されたユーザー画像データを全て削除する（ステップＳ１０１３）。そして、システム制御部５０は画像再生動作を終了する。
【００３４】
Ｍｅｍｏｒｙ  Ｔｉｍｅ  Ｓｅｔが存在しないと（ステップＳ１００８において、ＮＯ）、システム制御部５０は、メモリ２０に格納されたユーザー画像データのうち、撮影終了時間設定（Ｅｎｄ  Ｔｉｍｅ  Ｓｅｔ）よりも所定の時間（ｎｓ）以前の画像位置（つまり、撮影時間）を得て、当該画像位置を撮影開始時間設定（Ｓｔａｒｔ  Ｔｉｍｅ  Ｓｅｔ）とする（ステップＳ１０２１）。そして、システム制御部５０はメモリ２０に格納されたユーザー画像データのうち、撮影開始時間設定よりも前のユーザー画像データを消去する（ステップＳ１０１１）。その後、システム制御部５０はステップＳ１０１２の処理に進む。
【００３５】
図４は、図３で説明した画像再生において記録媒体に画像範囲情報（つまり、ユーザ画像データ）を格納するタイミングを説明するためのタイムチャートである。
【００３６】
図４においては、第ｎ（ｎは１以上の整数）番目〜第（ｎ＋３）番目の画像データｎ〜（ｎ＋３）を再生画像として表示部２００に表示する際、各画像ｎ〜（ｎ＋３）の表示中にＭｅｍｏｒｙ  Ｔｉｍｅ  Ｓｅｔが登録されていない。
【００３７】
従って、システム制御部５０は、ステップＳ１０２１において、メモリ２０に格納されたユーザー画像データにおいてＥｎｄ  Ｔｉｍｅ  Ｓｅｔよりも所定の時間（ｎｓ）以前の画像位置を得て、当該画像位置をＳｔａｒｔ  Ｔｉｍｅ  Ｓｅｔとする。そして、システム制御部５０は、ステップＳ１０１１においてメモリ２０に格納されたユーザー画像データのうち、当該Ｓｔａｒｔ  Ｔｉｍｅ  Ｓｅｔよりも前のユーザー画像データを消去することになる。
【００３８】
このように、本発明の第１の実施形態では、Ｍｅｍｏｒｙ  Ｔｉｍｅ  Ｓｅｔが保存されているか否かに応じて、ユーザー画像データの保存開始位置および保存終了位置を調整するようにしたので、鑑賞者の歓声などの動作に拘わらず、しかも編集を行うことなく、表示された画像（再生画像）に関連付けてユーザー画像データを記録することができる。
【００３９】
［第２の実施形態］
次に、本発明の第２の実施形態によるカメラの一例について説明する。なお、第２の実施形態によるカメラの構成は、図１および図２に示すカメラと同様であるので、ここでは説明を省略する。
【００４０】
図５Ａおよび図５Ｂは、本発明の第２の実施形態によるカメラにおける画像再生動作を説明するためのフローチャートである。なお、図示のフローチャートに係る処理は、システム制御部５０の制御下で行われる。また、図５Ａおよび図５Ｂにおいて、図３に示すフローチャートのステップと同一のステップについては同一の参照符号を付して説明を省略する。
【００４１】
図示の例では、例えば、再生モードにおける再生処理の際の画像表示時間が異なる場合又は再生画像が動画像である場合の処理が示されている。
【００４２】
いま、ステップＳ１００８において、Ｍｅｍｏｒｙ  Ｔｉｍｅ  Ｓｅｔが存在すると、システム制御部５０は、Ｓｔａｒｔ  Ｔｉｍｅ  ＳｅｔとＥｎｄ  Ｔｉｍｅ  Ｓｅｔとの時間間隔（つまり、表示時間）が予め設定された時間間隔未満（例えば、１分未満）であるか否かを判定する（ステップＳ１１０１）。表示時間が１分未満であると（ステップＳ１１０１において、ＹＥＳ）、システム制御部５０は、図３で説明したステップＳ１１１１の処理を行う。
【００４３】
表示時間が１分以上であると（ステップＳ１１０１において、ＮＯ）、システム制御部５０は、再生画像の切り替えに係るユーザー操作が複数回行われたか否かを判定する。つまり、システム制御部５０は、複数のＭｅｍｏｒｙ  Ｔｉｍｅ  Ｓｅｔがメモリ２０に登録されているか否かを判定することになる（ステップＳ１１０２）。
【００４４】
複数のＭｅｍｏｒｙ  Ｔｉｍｅ  Ｓｅｔがメモリ２０に登録されていると（ステップＳ１１０２において、ＮＯ）、システム制御部５０は、複数のＭｅｍｏｒｙ  Ｔｉｍｅ  Ｓｅｔ（操作指示時間ともいう）のうち最初のＭｅｍｏｒｙ  Ｔｉｍｅ  Ｓｅｔ（Ｆｉｒｓｔ  Ｍｅｍｏｒｙ  Ｔｉｍｅ）を保存開始位置とするとともに、最後のＭｅｍｏｒｙ  Ｔｉｍｅ  Ｓｅｔ（Ｌａｓｔ  Ｍｅｍｏｒｙ  Ｔｉｍｅ）を保存終了位置として、ユーザー画像データのうち記録媒体３０に格納する画像情報範囲を決定する（ステップＳ１１１３）。
【００４５】
一方、Ｍｅｍｏｒｙ  Ｔｉｍｅ  Ｓｅｔが１つのみメモリ２０に登録されていると（ステップＳ１１０２において、ＹＥＳ）、システム制御部５０は撮影開始時間と操作指示時間との時間間隔が１分未満である否かを判定する。つまり、システム制御部５０は、（Ｍｅｍｏｒｙ  Ｔｉｍｅ  Ｓｅｔ−Ｓｔａｒｔ  Ｔｉｍｅ  Ｓｅｔ＜１分であるか否かを判定することになる（ステップＳ１１０３）。
【００４６】
（Ｍｅｍｏｒｙ  Ｔｉｍｅ  Ｓｅｔ−Ｓｔａｒｔ  Ｔｉｍｅ  Ｓｅｔ＜１分であると（ステップＳ１１０３において、ＹＥＳ）、つまり、所定の時間未満であると、システム制御部５０は、図３で説明したステップＳ１１１１の処理を行う。一方、（Ｍｅｍｏｒｙ  Ｔｉｍｅ  Ｓｅｔ−Ｓｔａｒｔ  Ｔｉｍｅ  Ｓｅｔ≧１分であると（ステップＳ１１０３において、ＮＯ）、つまり、所定の時間以上であると、システム制御部５０は、メモリ２０に格納されたユーザー画像データにおいて、撮影開始時間より１分前（つまり、所定の時間前）の位置を保存開始位置とするとともに、撮影終了時間を保存終了位置として記録媒体３０に格納する画像情報範囲を決定する（ステップＳ１１１２）。そして、ステップＳ１１１１、Ｓ１１１２、又はＳ１１１３の処理の後、システム制御部５０はステップＳ１００９の処理に進む。
【００４７】
ステップＳ１００９の処理を行った後、システム制御部５０は、メモリ２０に格納されたユーザー画像データのうち、撮影終了時間設定（Ｅｎｄ  Ｔｉｍｅ  Ｓｅｔ）よりも所定の時間（ｎｓ）以前の画像位置（つまり、撮影時間）を得て、当該画像位置を撮影開始時間設定（Ｓｔａｒｔ  Ｔｉｍｅ  Ｓｅｔ）とする（ステップＳ１０１０）。そして、システム制御部５０は、図３で説明したステップＳ１０１１の処理に進む。
【００４８】
なお、ステップＳ１００８において、Ｍｅｍｏｒｙ  Ｔｉｍｅ  Ｓｅｔが存在しないと、システム制御部５０はステップＳ１０１０の処理に進む。
【００４９】
図６は、図５Ａおよび図５Ｂで説明した画像再生において記録媒体に画像範囲情報（つまり、ユーザ画像データ）を格納するタイミングを説明するためのタイムチャートである。そして、図６（ａ）は表示時間が１分未満で操作指示時間が複数ある場合の画像範囲情報の記録タイミングの一例を示す図であり、図６（ｂ）は表示時間が１分を超えて操作指示時間が１回ある場合の画像範囲情報の記録タイミングの一例を示す図である。また、図６（ｃ）は表示時間が１分を超えて操作指示時間が１回ある場合の画像範囲情報の記録タイミングの他の例を示す図であり、図６（ｄ）は１分を超えて操作指示時間が複数ある場合の画像範囲情報の記録タイミングの一例を示す図である。
【００５０】
図６に示す例では、再生画像ｎ、再生画像（ｎ＋１）の順に表示部２００に表示されるものとする。図６（ａ）においては、画像ｎの表示時間は１分未満であり、この間に３回の操作指示時間（Ｍ．Ｔ．）がメモリ２０に記録されている。従って、操作指示時間の記録に拘わらず、システム制御部５０は、ステップＳ１１１１において、保存開始位置をＳｔａｒｔ  Ｔｉｍｅ  Ｓｅｔとし、保存終了位置をＥｎｄ  Ｔｉｍｅ  Ｓｅｔとしてユーザー画像データを記録媒体３０に記録する。
【００５１】
図６（ｂ）においては、画像ｎの表示時間は１分を超えており（つまり、所定の時間間隔以上である）、この間に１回の操作指示時間（Ｍ．Ｔ．）がメモリ２０に記録されている。そして、Ｓｔａｒｔ  Ｔｉｍｅ  ＳｅｔとＭｅｍｏｒｙ  Ｔｉｍｅ  Ｓｅｔとの時間間隔は１分未満であるので、システム制御部５０は、ステップＳ１１１１において、保存開始位置をＳｔａｒｔ  Ｔｉｍｅ  Ｓｅｔとし、保存終了位置をＥｎｄ  Ｔｉｍｅ  Ｓｅｔとしてユーザー画像データを記録媒体３０に記録する。
【００５２】
図６（ｃ）においては、画像ｎの表示時間は１分を超えており、この間に１回の操作指示時間（Ｍ．Ｔ．）がメモリ２０に記録されている。そして、Ｓｔａｒｔ  Ｔｉｍｅ  ＳｅｔとＭｅｍｏｒｙ  Ｔｉｍｅ  Ｓｅｔとの時間間隔は１分を超えているので、システム制御部５０は、ステップＳ１１１２において、保存開始位置を（Ｓｔａｒｔ  Ｔｉｍｅ  Ｓｅｔ−１分）とし、保存終了位置をＥｎｄ  Ｔｉｍｅ  Ｓｅｔとしてユーザー画像データを記録媒体３０に記録する。
【００５３】
図６（ｄ）においては、画像ｎの表示時間は１分を超えており、この間に３回の操作指示時間（Ｍ．Ｔ．）がメモリ２０に記録されている。従って、システム制御部５０は、ステップＳ１１１３において、保存開始位置をＦｉｒｓｔ  Ｍｅｍｏｒｙ  Ｔｉｍｅとし、保存終了位置をＬａｓｔ  Ｍｅｍｏｒｙ  Ｔｉｍｅとしてユーザー画像データを記録媒体３０に記録することになる。
【００５４】
このように、本発明の第２の実施形態では、再生画像の表示時間、Ｍｅｍｏｒｙ  Ｔｉｍｅ  Ｓｅｔの記録数、およびＳｔａｒｔ  Ｔｉｍｅ  ＳｅｔとＭｅｍｏｒｙ  Ｔｉｍｅ  Ｓｅｔとの時間間隔に応じてユーザー画像データの保存開始位置および保存終了位置を調整するようにしたので、鑑賞者の歓声などの動作に拘わらず、しかも編集を行うことなく、表示された画像（再生画像）に関連付けてユーザー画像データを記録することができる。
【００５５】
なお、上述の実施の形態では、システム制御部５０およびメモリ２０は第２の記録手段として機能し、システム制御部５０および記録媒体３０は第１の記録手段として機能する。
【００５６】
以上、本発明について実施の形態に基づいて説明したが、本発明は、これらの実施の形態に限定されるものではなく、この発明の要旨を逸脱しない範囲の様々な形態も本発明に含まれる。
【００５７】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００５８】
上記の制御方法および制御プログラムの各々は、少なくとも受付ステップおよび記録ステップを有している。
【００５９】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００６０】
２０  メモリ
３０  記録媒体
５０  システム制御部
１００  カメラ
２００  表示部
２０１，４００  操作部
３００  視聴者撮像部
【図１】
2015088990.tif 000003
【図２】
2015088990.tif 000004
【図３】
2015088990.tif 000005
【図４】
2015088990.tif 000006
【図５Ａ】
2015088990.tif 000007
【図５Ｂ】
2015088990.tif 000008
【図６】
2015088990.tif 000009